(57)【要約】【課題】  耐久性に優れ、物干器フレームに対するピンチの取付作業を高能率に行うことができるピンチ吊下げ具を提供する。【解決手段】  金属線材の屈曲成形により、下端にピンチ２０の環状ばね２１を保持する小径環部２を有し、該小径環部２から上方に開脚状に１対の脚杆部４、５が延設され、一方の脚杆部５の上端に逆Ｕ字状の取付用フック部６と垂下端部６ａとが曲成され、他方の脚杆部４の上端に上記垂下端部６ａの内側に平行状に重なる開閉作動部７が延設される。【選択図】  図１
2006174950.tif 000002
【特許請求の範囲】
【請求項１】
物干器のフレームにピンチを吊り下げ状態に取付けるためのピンチ吊下具において、
金属線材の屈曲成形品からなり、
下端に、ピンチの環状ばねを収容しうる切欠環状の小径環部（２）を有し、
該小径環部（２）の上端に位置する切欠部をもって構成される狭縊通路（３）を介して、小径環部（２）の両端から上方に１対の脚杆部（４）（５）が開脚状に延設され、
一方の脚杆部（５）の上端に、前記小径環部（２）と同じ平面内でかつ小径環部（２）より大きい曲率半径で逆U字状に屈曲された、物干器フレームに対する取付用フック部（６）が延設されると共に、
他方の脚杆部（４）の上端に、前記取付用フック部（６）の先端の垂下部（６ａ）の内側に平行状に重なって位置する開閉作動部（７）が延設されてなることを特徴とする物干器のピンチ吊下げ具。
【請求項２】
前記開閉作動部（７）は、他方の脚杆部（４）の上端に、内方屈曲段部（８）を介して延設されており、垂下部（６ａ）の下端が前記他方の脚杆部（４）の外面より外方に突出しないものとなされている請求項１に記載の物干器のピンチ吊下げ具。
【請求項３】
狭縊通路（３）の通路幅（Ｗ）が、１．０〜２．０mmの範囲に設定されている請求項１または２に記載の物干器のピンチ吊下げ具。
【請求項４】
小径環部（２）の下端から取付用フック部（６）の上端までの全体の長さ（Ｌ）が、４０〜６０mmの範囲に設定されている請求項１〜３のいずれか１項に記載の物干器のピンチ吊下げ具。
【請求項５】
請求項１〜４のいずれか１項に記載のピンチ吊下げ具を具備した物干器。
【発明の詳細な説明】
【技術分野】
【０００１】
この発明は、洗濯物の乾燥に用いられるハンガータイプの物干具におけるピンチ吊下げ具に関する。
【背景技術】
【０００２】
一般に物干しハンガーとも呼ばれる物干器は、方形あるいは円形等のフレームに多数個のピンチが吊り下げ状態に取付けられ、このピンチに洗濯物を挟んで屋内外で乾燥の用に供される。
【０００３】
上記ピンチの吊下げに用いられる吊下げ具、即ち、物干器フレームとピンチとを連結する吊下げ具としては、従来、多くは合成樹脂製であるが、一部に金属製のものも用いられている。
【０００４】
合成樹脂製のピンチ吊下げ具は、安価である反面、耐候性に劣り、また応力負荷が繰返し加わることによる材質劣化の要因も複合的に作用して、耐久性に劣るという本質的な問題がある。即ち、物干器本体やピンチの耐用寿命に較べて、ピンチ吊下げ具の耐用寿命が短かく、その折損、破断等により、早期に物干器自体の本来の機能が損われるという問題があった。
【０００５】
一方、特許文献１、２、３に示されるような金属製のピンチ吊下げ具は、耐久性に優れる反面、一般的には鎖型のものであって概してピンチの取付けに手間がかかり、物干器の製造において大半を占めるピンチ取付作業の非能率のために製品コストが高くつくという問題があった。またピンチが破損した場合の取替作業を、使用者において容易に行うことができないという難があった。更にはまた、外観的にいささか不体裁であるのみならず、ピンチの吊下げ状態時における該ピンチの取付位置の安定性が悪く、洗濯物の取付け・取外し作業が行いにくいとか、物干器のフレームの開閉時にピンチ同士が絡まり易いというような種々の問題点を有するものであった。
【特許文献１】特開平１０−８０５９７号公報（第２頁段落００１１）
【特許文献２】実開平５−３９４９４号公報（段落０００６）
【特許文献３】意匠登録第８８２２５５号公報
【発明の開示】
【発明が解決しようとする課題】
【０００６】
本発明は、上記のような従来技術の種々の問題点に鑑み、物干器の組立製作時におけるピンチの取付作業を極めて高能率に行い得て、物干器の製造コストの削減をはかり得ると共に、耐久性に優れ、吊下げ具が健全であるにもかかわらずピンチが破損した場合には、使用者においてこれを容易に取替えることが可能であり、ひいては物干器の耐用寿命の増大に貢献しうるピンチ吊下げ具を提供すること、更にはまたピンチを取付けたときの外観体裁が良く、またその取付状態での位置的安定性に優れていて、洗濯物の取付や取外しの作業も行い易いものとなし得るピンチ吊下具を提供すること、を目的とする。
【課題を解決するための手段】
【０００７】
この発明は、上記の課題に対し、これを解決するために次の手段を提示する。
【０００８】
即ち、本発明に係る物干器のピンチ吊下げ具は、
物干器のフレームにピンチを吊り下げ状態に取付けるためのピンチ吊下具において、
金属線材の屈曲成形品からなり、
下端に、ピンチの環状ばねを収容しうる切欠環状の小径環部（２）を有し、
該小径環部（２）の上端に位置する切欠部をもって構成される狭縊通路（３）を介して、小径環部（２）の両端から上方に１対の脚杆部（４）（５）が開脚状に延設され、
一方の脚杆部（５）の上端に、前記小径環部（２）と同じ平面内でかつ小径環部（２）より大きい曲率半径で逆U字状に屈曲された、物干器フレームに対する取付用フック部（６）が延設されると共に、
他方の脚杆部（４）の上端に、前記取付用フック部（６）の先端の垂下部（６ａ）の内側に平行状に重なって位置する開閉作動部（７）が延設されてなることを特徴とする物干器のピンチ吊下げ具である。
【０００９】
上記において、前記開閉作動部（７）は、他方の脚杆部（４）の上端に、内方屈曲段部（８）を介して延設されており、垂下部（６ａ）の下端が前記他方の脚杆部（４）の外面より外方に突出しないものとなされていることが望ましい。
【００１０】
また、狭縊通路（３）の通路幅（Ｗ）は、１．０〜２．０mmの範囲に設定されていること、そしてまた、小径環部（２）の下端から取付用フック部（６）の上端までの全体の長さ（Ｌ）は、４０〜６０mmの範囲に設定されていることが望ましい。
【００１１】
上記のようなピンチ吊下げ具を具備した物干器も、本発明の範囲に包含される。
【発明の効果】
【００１２】
本発明に係る物干器のピンチ吊下げ具は、金属線材からなるものである。物干器のフレームは、多くの場合合成樹脂製であり、ピンチも一般に合成樹脂製である。これに対し、金属製のピンチ吊下げ具は、それ自体堅牢であり、少なくとも物干器フレームやピンチより耐久性に優れ、該ピンチ吊下げ具の早期破損によって物干器自体の効用が損なわれるということがない。
【００１３】
また、ピンチ吊下具は、金属線材の屈曲成形品からなるものであるから、それ自体、機械的な量産に適し、安価に製造することができる。
【００１４】
また、ピンチ吊下げ具は、その具体的な構造ないし形状において、前記のような構成を有するものであるから、物干器フレームに対するピンチの取付け作業を、極めて簡易に能率良く行なうことができる。即ち、その好ましい手順として、先ず、垂下部（６ａ）とこれに平行状に重なった開閉作動部（７）とで構成される常閉の出し入れ口を、脚扞部（４）を内方に弾性的に撓めることによって小さく開口し、この開口からピンチ（２０）の環状ばね（２１）をはめ入れ、狭縊通路（３）を経て下端の小径環部（２）内に導入する。次いで、同様に出し入れ口を今度は大きく開きつつ上端の取付用フック部（６）を物干器フレーム（１０）のピンチ取付孔（１１）に垂下部（６ａ）側から通してその孔縁に掛け止める。以上により、ピンチ（２０）の取付作業を完了する。
【００１５】
上記の取付作業は、何らの工具をも用いることなく、簡易な作業で遂行可能であり、１個の物干器当たりに数十個の単位で取付けられるピンチの取付作業を簡単かつ能率的に行うことができ、ひいては物干器自体の生産性を大幅に向上でき、その製造コストを低減して、安価に提供可能なものとすることができる。
【００１６】
また、ピンチ（２０）をフレーム（１０）に取付けた状態時において、該ピンチ（２０）は、その環状ばね（２１）が吊下げ具（１）の下端の小径環部（２）内に保持され、徒らに上方に移動するのを狭縊通路（３）によって阻止される。従って、ピンチ（２０）の取付位置を安定的に保持することができ、物干器フレーム（１０）の開閉折畳み作動時等においてピンチ同士あるいはピンチと吊下げ具とが相互に干渉し複雑に絡まり合ってフレームの円滑な開閉を阻害したり、ピンチ（２０）の使用に支障を来すというようなおそれが少ない。
【００１７】
また、この物干器においては、合成樹脂製のピンチ（２０）が他の部材に較べて早期に損壊する傾向にあるが、該ピンチが壊れた場合には、吊下げ具（１）の開閉作動部（７）を押し込むことで出し入れ口を開いて簡単に該ピンチの取替作業を行うことができ、実質的な物干器の耐用寿命を増大することができる。
【００１８】
また、開閉作動部（７）を、脚杆部（４）から内方屈曲段部（８）を介して延設し、垂下部（６ａ）の下端が外方に突出しないものとするときは、上記垂下部（６ａ）に手指が引掛かる危険を防止することができ、安全性の高いものとすることができる。
【００１９】
更にまた、狭縊通路（３）の通路幅（Ｗ）を、１．０〜２．０mmの範囲に設定することにより、ピンチ（２０）の環状ばね（２１）の直径が一般的には１．０〜２．０mmであることとの関係において、ピンチ（２０）のばね（２１）を小径環部（２）内に一層確実に保持でき、前述のピンチ（２０）の徒らな移動防止効果をより確実に実現しうる。
【００２０】
また、小径環部（２）の下端から取付用フック部（６）の上端に至る吊下げ具（１）の全長を、４０〜６０mmの範囲に設定することにより、物干器フレーム（１０）に対するピンチ（２０）の取付高さ位置を適正なものとすることができる。従ってピンチ（２０）の取付位置が物干器フレーム（１０）に近接しすぎてピンチ（２０）の開閉操作に支障を生じさせたり、逆に離れすぎて物干器に対する洗濯物等の被乾燥物の吊り下げ状態での安定性が悪いものとなるというような弊害を回避できる。
【００２１】
上記のような本発明のピンチ吊下げ具を用いた物干器は、外観体裁が良く、実質的な耐用寿命に優れたものとなしうる。
【発明を実施するための最良の形態】
【００２２】
次に、この発明の好ましい実施形態を図面に基づいて説明する。
【００２３】
図１は、この発明に係るピンチ吊下具（１）の正面図である。
【００２４】
該ピンチ吊下具（１）は、鉄鋼線、ステンレス線、アルミニウム線等の好ましくは不錆
性の金属もしくは錆止め表面処理をした金属線材をもって、屈曲成形されたものである。この線材は、丸線でも良いし、図示実施例のように断面が僅かに短形である角形線材であっても良い。一例として、厚さ１．２mm、幅２．０mmの角形線材を好適に使用することができる。
【００２５】
該吊下げ具（１）は、下端にピンチ（２０）の環状ばね（２１）を収容しうる切欠環状の小径環部（２）を有する。この小径環部（２）の内径は、半径２．０〜４．０mm程度の範囲に設定されるものである。
【００２６】
そして、この小径環部（２）の上方には、該小径環部（２）の上端に位置する切欠部をもって構成された狭縊通路（３）を介して、小径環部（２）の両端から上方に斜め外方に延びた１対の開脚状の脚杆部（４）（５）を有する。これらの脚杆部（４）（５）の傾斜角度は、５〜１０°程度の範囲に設定するのが好適である。また前記狭縊通路（３）の通路幅（Ｗ）は、１．０〜２．０mmの範囲で、かつピンチ（２０）の環状ばね（２１）の線径よりやや小さいものに設定されている。
【００２７】
一方の脚杆部（５）の上端には、逆U字状の、物干器フレーム（１０）に対する取付用フック部（６）が延設されている。このフック部（６）は、前記小径環部（２）と同じ平面内で、かつ小径環部（２）より大きい曲率半径の例えば３．０〜５．０mmの半径で逆U字状に屈曲されたものであり、先端側に垂下部（６ａ）を有する。
【００２８】
他方の脚杆部（４）の上端には、上記垂下部（６ａ）の内側に平行状にかつ重なり状に位置する開閉作動部（７）が連続して設けられている。かつ、この開閉作動部（７）は、前記他方の脚杆部（４）の上端から、内方屈曲段部（８）を介して延設されている。これにより前記垂下部（６ａ）は、その外面が脚杆部（４）の上端部外面と同一平面またはそれより内側に位置し外方に突出しないものとなされている。垂下部（６ａ）の下端が外方に突出していると、これに手指を引掛けて怪我をするおそれがあるためである。
【００２９】
上記ピンチ吊下げ具（１）は、小径環部（２）の下端から、取付用フック部（６）の上端に至る全長（Ｌ）が、４０〜６０mmの範囲に設定されるものである。
【００３０】
好適な設計寸法の一例を挙げれば、前記の角形線材（厚さ１．２mm幅２．０mm）を用い、小径環部（２）の内径２．６mm、狭縊通路（３）の幅（W）１．２mm、取付用フック部（６）の内径３．８mm、全長（L）４５mmである。
【００３１】
上記のピンチ吊下具（１）は、図２及び図３に示すように、下端の小径環部（２）内にピンチ（２０）の環状ばね（２１）を収容し、上端の取付用フック部（６）を、物干器のフレーム（１０）に設けられたピンチ取付孔（１１）に引掛け状態に係合せしめることにより、物干器フレーム（１０）に多数個のピンチ（２０）を所定間隔に吊下げ状態に取付けるものである。
【００３２】
ピンチ（２０）の組付けは、脚杆部（４）の上端部をそのばね弾性に抗して内方に押し込み、これによって開閉操作部（７）を内方に移動させて、垂下部（６ａ）との間に出し入れ口を開口したのち、この開口を通じてピンチ（２０）の環状ばね（２１）を吊下げ具（１）の内側にはめ込み、続いてこのばね（２１）を、狭縊部（３）を強制的に通過させて小径環部（２）内に導入することによって行うものである。
【００３３】
一方、物干器フレーム（１０）への取付けは、上記ピンチ（２０）の組付け後、上記同様にして開閉作動部（７）の内方移動を生じさせて出し入れ口を大きく開き、この出し入れ口から、取付用フック部（６）を物干器フレーム（１０）のピンチ取付孔（１１）に先端の垂下部（６ａ）例から通して掛け止めることによって行うものである。
【００３４】
上記出し入れ口の開口操作は、両脚部（４）（５）を指先で挟み込むようにして内方に力を加えることによって容易に行いうることはいうまでもない。
【００３５】
上記のピンチ吊下げ状態時において、物干器フレーム（１０）との関係において吊下げ具（１）は前後左右のいずれの方向にも自由に揺動可能である。そして、ピンチ（２０）も、吊下げ具（１）との関係において、前後左右のいずれの方向に対しても自由に揺動可能である。従って、ピンチ（２０）に洗濯物等を挟み付け、あるいは取り外す操作を、ピンチ（２０）を自由に好適な向きに振り向けながら、容易に行うことができる。それでいて、ピンチ（２０）は常に正しく吊下げ具（１）の下端に保持されているから、一層上記の操作を行い易い。
【産業上の利用可能性】
【００３６】
この発明は、合成樹脂製または金属製のフレームに、多数個のピンチが吊下げ状態に取り付けられるピンチ付きの各種の物干器に広く適用されるものである。
【図面の簡単な説明】
【００３７】
【図１】この発明に係るピンチ吊下げ具の正面図である。
【図２】物干器フレームにピンチを取付けた状態において示す図１Ａ−Ａ線の断面図である。
【図３】物干器フレームにピンチを取付けた状態を示す物干器の一部の斜視図である。
【符号の説明】
【００３８】
１・・・ピンチ吊下げ具
２・・・小径環部
３・・・狭縊通路
４・・・脚杆部
５・・・脚杆部
６・・・取付用フック部
６ａ・・垂下部
７・・・開閉作動部
８・・・内方屈曲段部
１０・・物干器フレーム
１１・・ピンチ取付孔
２０・・ピンチ
２１・・環状ばね
２２・・狭持片
【図１】
2006174950.tif 000003
【図２】
2006174950.tif 000004
【図３】
2006174950.tif 000005